(57)【要約】【課題】遮断器ユニットの挿入とその固定を箱体の一方向からとし、組立作業の効率を向上させる。【解決手段】電気機器を収納する箱体１と、箱体１の正面側から背面側に延びるとともに、側壁に固定された一対のガイド１０ａ、１０ｂと、一対のガイド１０ａ、１０ｂ上を移動する引出形遮断器３を搭載する遮断器ユニット４ａ、４ｂと、遮断器ユニット４ａ、４ｂを箱体１に固定する固定手段のボルト５ａ、５ｂとを備え、遮断器ユニット４ａ、４ｂの挿入作業と、ボルト５ａ、５ｂによる固定作業を正面側から行うことを特徴とする。【選択図】  図１
2012114981.tif 000002
【特許請求の範囲】
【請求項１】
箱体と、
前記箱体の正面側から背面側に延びるとともに、側壁に固定された一対のガイドと、
前記一対のガイド上を移動する遮断器ユニットと、
前記遮断器ユニットを前記箱体の正面側から固定する固定手段と、
を備えたことを特徴とする金属閉鎖形スイッチギヤ。
【請求項２】
前記遮断器ユニットに保護カバーと引出形遮断器を制御する制御端子とを固定したことを特徴とする請求項１に記載の金属閉鎖形スイッチギヤ。
【請求項３】
前記遮断器ユニットの背面側に嵌合板を設け、
前記一対のガイドの背面側に前記嵌合板を挟持するストッパーを設けたことを特徴とする請求項１または請求項２に記載の金属閉鎖形スイッチギヤ。
【請求項４】
前記遮断器ユニットの床板にレールを設け、
前記一対のガイドに前記レールが移動する溝部を設けたことを特徴とする請求項１乃至請求項３のいずれか１項に記載の金属閉鎖形スイッチギヤ。
【請求項５】
箱体と、
前記箱体の正面側から背面側に延びるとともに、側壁に固定された一対のガイドと、
前記一対のガイドを移動する遮断器ユニットと、
前記遮断器ユニットを前記箱体の正面側から固定する固定手段とを備えた金属閉鎖形スイッチギヤの組立方法であって、
先ず、前記一対のガイドに正面側から前記遮断器ユニットを載せ、
次いで、この遮断器ユニットを奥行き方向に移動させ、
前記遮断器ユニットを前記固定手段で固定することを特徴とする金属閉鎖形スイッチギヤの組立方法。
【発明の詳細な説明】
【技術分野】
【０００１】
本発明の実施形態は、組立作業を容易とし得る金属閉鎖形スイッチギヤおよびその組立方法に関する。
【背景技術】
【０００２】
一般に、金属閉鎖形スイッチギヤは、箱体内が正面側の遮断器室、背面側のケーブル室や母線室などに仕切られている（例えば、特許文献１参照。）。そして、遮断器室においては、引出形の真空遮断器を搭載した遮断器ユニットが組込まれる（例えば、特許文献２参照。）。
【０００３】
この種の金属閉鎖形スイッチギヤの組立においては、図６に示すように、二段積みの場合、箱体１の中間部と下部の正面側と背面側の幅方向にそれぞれコ字状の上段取付板２ａ、および下段取付板２ｂを固定しておき、引出形遮断器３を搭載するＬ字状の上段遮断器ユニット４ａ、下段遮断器ユニット４ｂを背面側から挿入する。上段遮断器ユニット４ａ、下段遮断器ユニット４ｂは、それぞれ引出形遮断器３が移動する上段床板４ａ１、下段床板４ｂ１と三相分の主回路断路部が固定される上段壁板４ａ２、下段壁板４ｂ２を備えている。
【０００４】
挿入後、上段遮断器ユニット４ａでは、正面側の上段取付板２ａに上段床板４ａ１を上段ボルト５ａで固定し、下段遮断器ユニット４ｂも正面側の下段取付板２ｂに下段床板４ｂ１を下段ボルト５ｂで固定する。また、引出形遮断器３の正面パネルが目視できる開口部を有する上段保護カバー６ａ、下段保護カバー６ｂも、それぞれ正面側の上段取付板２ａ、下段取付板２ｂに固定する。
【０００５】
これにより、箱体１内は、上段遮断器ユニット４ａ、下段遮断器ユニット４ｂを固定することで上段遮断器室１ａ、下段遮断器室１ｂを形成することができ、また、背面側には母線室を含めたケーブル室１ｃを形成することができる。なお、ケーブル室１ｃは、ケーブル接続などの最終の組立作業を伴うエリアのため、作業スペースが確保されている。このため、背面側から収納機器を順次挿入して組立をする手順が採用される。
【先行技術文献】
【特許文献】
【０００６】
【特許文献１】特開平１０−２５７６１３号公報
【特許文献２】特開２００１−１６７１７号公報
【発明の概要】
【発明が解決しようとする課題】
【０００７】
上記の従来の金属閉鎖形スイッチギヤにおいては、次のような問題がある。  
上段遮断器ユニット４ａ、下段遮断器ユニット４ｂを箱体１の背面側から挿入し、その固定を正面側から行っているので、正面側の作業と背面側の作業があり、作業性が劣っていた。
【０００８】
本発明は上記問題を解決するためになされたもので、箱体内への遮断器ユニットの挿入と固定を正面側の一方向とし、組立作業の効率の向上を図った金属閉鎖形スイッチギヤおよびその組立方法を提供することを目的とする。
【課題を解決するための手段】
【０００９】
上記目的を達成するために、実施形態の金属閉鎖形スイッチギヤは、箱体と、前記箱体の正面側から背面側に延びるとともに、側壁に固定された一対のガイドと、前記一対のガイド上を移動する遮断器ユニットと、前記遮断器ユニットを前記箱体の正面側から固定する固定手段と、を備えたことを特徴とする。
【図面の簡単な説明】
【００１０】
【図１】本発明の実施例１に係る金属閉鎖形スイッチギヤの組立手順を説明する図。
【図２】本発明の実施例２に係る金属閉鎖形スイッチギヤの遮断器ユニットを説明する図。
【図３】本発明の実施例３に係る金属閉鎖形スイッチギヤの遮断器ユニットを説明する図。
【図４】本発明の実施例４に係る金属閉鎖形スイッチギヤの遮断器ユニットを説明する図。
【図５】本発明の実施例５に係る金属閉鎖形スイッチギヤの遮断器ユニットを説明する図。
【図６】従来の金属閉鎖形スイッチギヤの組立手順を説明する図。
【発明を実施するための形態】
【００１１】
以下、図面を参照して本発明の実施例を説明する。
【実施例１】
【００１２】
先ず、本発明の実施例１に係る金属閉鎖形スイッチギヤを図１を参照して説明する。図１は、本発明の実施例１に係る金属閉鎖形スイッチギヤの組立手順を説明する図である。なお、図１において、従来と同様の構成部分については、同一符号を付した。
【００１３】
図１に示すように、二段積みの場合、箱体１の両側の側壁の中間部と下部には、正面側から背面側に延びた奥行き方向にそれぞれＬ字状の一対の上段ガイド１０ａ、下段ガイド１０ｂが固定されている。引出形遮断器３を搭載するＬ状の上段遮断器ユニット４ａ、下段遮断器ユニット４ｂは、引出形遮断器３が移動する上段床板４ａ１、下段床板４ｂ１と三相分の主回路断路部が固定される上段壁板４ａ２、下段壁板４ｂ２を備えている。また、引出形遮断器３の正面側には、正面パネルが目視できる開口部を有する上段保護カバー５ａ、下段保護カバー５ｂが設けられる。
【００１４】
この組立においては、上段遮断器ユニット４ａ、下段遮断器ユニット４ｂをリフターなどで持ち上げ、正面側からそれぞれの上段ガイド１０ａ、下段ガイド１０ｂに載せ、これに沿って移動させ挿入する。挿入後、上段遮断器ユニット４ａでは、正面側の上段ガイド１０ａに設けたネジ穴に上段床板４ａ１を上段ボルト５ａで固定し、下段遮断器ユニット４ｂも正面側の下段ガイド１０ｂに設けたネジ穴に下段床板４ｂ１を下段ボルト５ｂで固定する。また、引出形遮断器３の正面側には、上段保護カバー６ａ、下段保護カバー６ｂを固定する。
【００１５】
これにより、箱体１内は、上段遮断器ユニット４ａ、下段遮断器ユニット４ｂを固定することで上段遮断器室１ａ、下段遮断器室１ｂを形成することができ、また、背面側には母線室を含めたケーブル室１ｃを形成することができる。即ち、正面側の一方向から組立作業をすることで各室１ａ、１ｂ、１ｃを形成することができる。
【００１６】
ここで、遮断器ユニット４ａ、４ｂをガイド１０ａ、１０ｂに固定したが、図示しない箱体１の支柱や側壁などに固定してもよい。また、ボルト５ａ、５ｂの貫通は、遮断器ユニット４ａ、４ｂ側からでもよいし、箱体１側からでもよい。これらを遮断器ユニット４ａ、４ｂを正面側から固定する固定手段と称する。
【００１７】
上記実施例１の金属閉鎖形スイッチギヤによれば、箱体１の側壁に、正面側から背面側に延びた一対のガイド１０ａ、１０ｂを設け、このガイド１０ａ、１０ｂ上に沿って正面側から遮断器ユニット４ａ、４ｂを挿入し、この遮断器ユニット４ａ、４ｂを正面側から固定するようにしているので、一方向からの組立作業とすることができ、作業性を向上させることができる。
【実施例２】
【００１８】
次に、本発明の実施例２に係る金属閉鎖形スイッチギヤを図２を参照して説明する。図２は、本発明の実施例２に係る金属閉鎖形スイッチギヤの遮断器ユニットを説明する図である。なお、この実施例２が実施例１と異なる点は、遮断器ユニットに保護カバーを取付けたことである。図２において、実施例１と同様の構成部分においては、同一符号を付し、その詳細な説明を省略する。二段積みの場合、上下段は同様の構成であるので、以下、上段を用いて説明する。
【００１９】
図２に示すように、上段遮断器ユニット４ａの上段床板４ａ１に上段保護カバー６ａを箱体１外で組立て、箱体１に挿入するようにしている。
【００２０】
上記実施例２の金属閉鎖形スイッチギヤによれば、実施例１による効果のほかに、箱体１内での組立作業が削減でき、作業性を更に向上させることができる。
【実施例３】
【００２１】
次に、本発明の実施例３に係る金属閉鎖形スイッチギヤを図３を参照して説明する。図３は、本発明の実施例３に係る金属閉鎖形スイッチギヤの遮断器ユニットを説明する図である。なお、この実施例３が実施例２と異なる点は、遮断器ユニットに制御端子を取付けたことである。図３において、実施例２と同様の構成部分においては、同一符号を付し、その詳細な説明を省略する。
【００２２】
図３に示すように、上段遮断器ユニット４ａの側面には、引出形遮断器３を操作する制御端子１１を取付けている。制御端子１１も上段遮断器ユニット４ａを挿入、固定後に箱体１内で組立をすることがあるが、箱体１外で組立てることで作業性を向上させることができる。
【００２３】
上記実施例３の金属閉鎖形スイッチギヤによれば、実施例２と同様の効果を得ることができる。
【実施例４】
【００２４】
次に、本発明の実施例４に係る金属閉鎖形スイッチギヤを図４を参照して説明する。図４は、本発明の実施例４に係る金属閉鎖形スイッチギヤの遮断器ユニットを説明する図である。なお、この実施例４が実施例３と異なる点は、遮断器ユニットの背面側に嵌合板を設けたことである。図４において、実施例３と同様の構成部分においては、同一符号を付し、その詳細な説明を省略する。
【００２５】
図４に示すように、上段遮断器ユニット４ａの上段床板４ａ１の背面側には、板状の嵌合板１２を設けている。また、上段ガイド１０ａの背面側には、嵌合板１２を挟持するコ字状のストッパー１３を設けている。
【００２６】
上記実施例４の金属閉鎖形スイッチギヤによれば、実施例３と同様の効果のほかに、上段遮断器ユニット４ａを挿入したときの、位置合せと背面側の固定をすることができる。
【実施例５】
【００２７】
次に、本発明の実施例５に係る金属閉鎖形スイッチギヤを図５を参照して説明する。図５は、本発明の実施例５に係る金属閉鎖形スイッチギヤの遮断器ユニットを説明する図である。なお、この実施例５が実施例４と異なる点は、遮断器ユニットにレールを設けたことである。図５において、実施例４と同様の構成部分においては、同一符号を付し、その詳細な説明を省略する。
【００２８】
図５に示すように、上段遮断器ユニット４ａの上段床板４ａ１には、奥行き方向に板状の一対のレール１４を設けている。また、正面側では、外側に約９０度折り曲げた折曲部１４ａを設けている。上段ガイド１０ａには、レール１４が移動する溝部１５と、折曲部１４ａが当接するロ字状の開口部１６を設けている。
【００２９】
上記実施例５の金属閉鎖形スイッチギヤによれば、実施例４と同様の効果のほかに、溝部１５に沿ってレール１４を移動させるので、上段遮断器ユニット４ａの移動を容易にすることができる。また、開口部１６に折曲部１４ａを当接させることで、挿入の位置合せをすることができる。
【００３０】
以上述べたような実施形態によれば、箱体の正面側から遮断器ユニットを挿入し、正面側で固定するようにしているので、組立作業が正面側の一方向からだけとなり、組立の作業性を向上させることができる。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、および変更を行うことができる。これら実施形態やその変形は、発明の範囲や要旨に含まれるとともに、特許請求の範囲に記載された発明とその均等の範囲に含まれる。
【符号の説明】
【００３２】
１  箱体
１ａ  上段遮断器室
１ｂ  下段遮断器室
１ｃ  ケーブル室
２ａ、２ｂ  取付板
３  引出形遮断器
４ａ、４ｂ  遮断器ユニット
４ａ１、４ｂ１  床板
４ａ２、４ｂ２  壁板
５ａ、５ｂ  ボルト
６ａ、６ｂ  保護カバー
１０ａ、１０ｂ  ガイド
１１  制御端子
１２  嵌合板
１３  ストッパー
１４  レール
１４ａ  折曲部
１５  溝部
１６  開口部
【図１】
2012114981.tif 000003
【図２】
2012114981.tif 000004
【図３】
2012114981.tif 000005
【図４】
2012114981.tif 000006
【図５】
2012114981.tif 000007
【図６】
2012114981.tif 000008